(57)【要約】【課題】  プレス工程においてウエブの破断を生じない、電極板の製造方法及び製造装置を提供する。【解決手段】  電極活物質層が集電体の少なくとも一面に設けられている電極板中間品を、一対のプレスロール間を通過させて圧延する電極板の製造方法において、前記電極板中間品の搬送を停止するときに、搬送路上を移動する電極板中間品の少なくとも一面側の塗工部と非塗工部をセンサーで判別し、その判別結果に基づいて少なくとも一面側の非塗工部が前記プレスロールの直下に停止しないように電極板中間品の停止位置を調節する。【選択図】  図１
2006107787.tif 000002
【特許請求の範囲】
【請求項１】
電極活物質層が集電体の少なくとも一面に設けられている電極板中間品を、一対のプレスロール間を通過させて圧延する電極板の製造方法において、前記電極板中間品の搬送を停止するときに、搬送路上を移動する電極板中間品の少なくとも一面側の塗工部と非塗工部をセンサーで判別し、その判別結果に基づいて少なくとも一面側の非塗工部が前記プレスロールの直下に停止しないように電極板中間品の停止位置を調節することを特徴とする、電極板の製造方法。
【請求項２】
電極活物質層が集電体の少なくとも一面に設けられている電極板中間品を圧延する一対のプレスロール、前記電極板中間品を前記一対のプレスロール間に供給する搬送手段、前記搬送手段により搬送路上を移動する前記電極板中間品の少なくとも一面側の塗工部と非塗工部を判別するセンサー、前記センサーによる判別結果に基づいて少なくとも一面側の非塗工部が前記プレスロールの直下に停止しないように電極板中間品の停止位置を調節する制御手段、を備えることを特徴とする、電極板の製造装置。
【発明の詳細な説明】
【技術分野】
【０００１】
本発明は、電極板の製造方法及び製造装置に関する。
【背景技術】
【０００２】
一般に電極板は、電極活物質層が集電体の少なくとも一面に設けられて構成されている。電極板の製造方法は、少なくとも、集電体を準備する工程と、電極活物質層用塗工組成物を調製する工程と、該電極活物質層用塗工組成物を集電体に塗布することにより電極活物質層を形成し、乾燥するコーティング工程と、該電極活物質層が形成された集電体を圧延するプレス工程と、該プレスした集電体を所定の大きさに切断するスリット工程を有する。電子機器の小型化・軽量化・高性能化に伴い、前記コーティング工程では、電極活物質層用塗工組成物を塗布した塗工部と塗布していない非塗工部を順次形成する間欠塗布方式が広く用いられている。
【０００３】
前記プレス工程においては、図３に示すように第１ロール１６ａと第２ロール１６ｂから成る一対のプレスロールを用い、電極活物質層１３が形成された集電体１４を圧延する。プレスを充分に行うために、第１ロール１６ａを支持する回転軸(中心軸)の両側に、押圧方向の付勢力Ｆが加えられる。この付勢力Ｆに対して第２ロール１６ｂ及びウエブ１７からの反力ｓが発生し、この反力ｓによって第１回転軸が撓み、第１ロール１６ａは、第１ロールの軸方向中央が付勢力Ｆの付勢方向と反対方向に浮き上がり、両側が付勢力Ｆの付勢方向に沈み込んだ形状に歪む。そこで、上記のロール歪みを防止するために、第１ロールを支持する回転軸（中心軸）の両側に付勢力Ｆに対して反対方向の付勢力ｆを負荷することが行われている。
【０００４】
図３に示すように、電極板の電極活物質層１３が均一に形成されている領域では、第１ロール１６ａの付勢力Ｆと反力ｓ及び矯正のための付勢力ｆとのバランスがとれているので、第１ロール１６ａは歪まず、プレス工程を支障なく行うことができる。
【０００５】
しかしながら、多くの場合に電極板には、端子取り出し等のために電極活物質層を形成しない領域（非塗工部）が存在する。この非塗工部は、長尺状の電極板又は中間製品であるウエブの薄い部分であり、この様なウエブの薄い部分では、付勢力Ｆと反力ｓ及び付勢力ｆとのバランスが崩れて、付勢力ｆによる歪み矯正力が過大になる。すると、図４に示すように第１ロール１６ａは、プレスロールの軸方向中央が付勢力Ｆの付勢方向に沈み込み、両側が付勢力Ｆの付勢方向の反対方向に浮き上がった形状に歪む。この時、ウエブ１７と第１ロール１６ａは、非塗工部の領域内の一点接触となる。
【０００６】
ロール圧延の作業が不測の事態又は所定の理由によって中断される時に、ウエブの薄い部分がプレスロールの直下の位置でプレスロールの回転が停止（ウエブ搬送が停止）する場合がある。その場合、ウエブにテンションをかけた状態でプレスロールの回転を再開すると、図４に示すように、ウエブ１７は接点Ｐで固定されて搬送の前後方向に引っ張られるので、その接点Ｐを基点としてウエブの破断が発生しやすいという問題がある。
【発明の開示】
【発明が解決しようとする課題】
【０００７】
本発明は、上記の実状に鑑みて成し遂げられたものであり、その目的は、プレス工程においてウエブの破断を生じない、電極板の製造方法及び製造装置を提供することにある。
【課題を解決するための手段】
【０００８】
本発明に係る電極板の製造方法は、電極活物質層が集電体の少なくとも一面に設けられている電極板中間品を、一対のプレスロール間を通過させて圧延する電極板の製造方法において、前記電極板中間品の搬送を停止するときに、搬送路上を移動する電極板中間品の少なくとも一面側の塗工部と非塗工部をセンサーで判別し、その判別結果に基づいて少なくとも一面側の非塗工部が前記プレスロールの直下に停止しないように電極板中間品の停止位置を調節することを特徴とする。
【０００９】
また、本発明に係る電極板の製造装置は、電極活物質層が集電体の少なくとも一面に設けられている電極板中間品を圧延する一対のプレスロール、前記電極板中間品を前記一対のプレスロール間に供給する搬送手段、前記搬送手段により搬送路上を移動する前記電極板中間品の少なくとも一面側の塗工部と非塗工部を判別するセンサー、前記センサーによる判別結果に基づいて少なくとも一面側の非塗工部が前記プレスロールの直下に停止しないように電極板中間品の停止位置を調節する制御手段、を備えることを特徴とする。
【発明の効果】
【００１０】
本発明によれば、電極板を製造するためのプレス工程において、電極板中間品の搬送を停止する時に、集電体上の塗工部と非塗工部の位置を判別し、その停止位置を調節することによって、非塗工部がプレスロール直下に停止することを回避する。したがって、搬送を再開する時にウエブの一点に荷重が集中せず、ウエブの破断を防止することができ、製造コストが低減されるとともに、製造効率を向上させることができる。
【発明を実施するための最良の形態】
【００１１】
本発明に係る電極板の製造方法は、電極活物質層が集電体の少なくとも一面に設けられている電極板中間品を、一対のプレスロール間を通過させて圧延する電極板の製造方法において、前記電極板中間品の搬送を停止するときに、搬送路上を移動する電極板中間品の少なくとも一面側の塗工部と非塗工部をセンサーで判別し、その判別結果に基づいて少なくとも一面側の非塗工部が前記プレスロールの直下に停止しないように電極板中間品の停止位置を調節することを特徴とする。
【００１２】
また、本発明に係る電極板の製造装置は、電極活物質層が集電体の少なくとも一面に設けられている電極板中間品を圧延する一対のプレスロール、前記電極板中間品を前記一対のプレスロール間に供給する搬送手段、前記搬送手段により搬送路上を移動する前記電極板中間品の少なくとも一面側の塗工部と非塗工部を判別するセンサー、前記センサーによる判別結果に基づいて少なくとも一面側の非塗工部が前記プレスロールの直下に停止しないように電極板中間品の停止位置を調節する制御手段、を備えることを特徴とする。
【００１３】
図１に本発明の電極板製造装置の一構成例を示し、以下、本発明の実施の態様について、詳細に説明する。
【００１４】
（製造装置の基本構成）
図１に示すロールプレス機（製造装置）１は、次のような構成要素を含んでいる：一対のプレスロール２（２ａ，２ｂ）；該プレスロールを駆動するモータ３ａ；電極板供給ロールを取り付けた電極板供給部４；電極板供給ロールを駆動するモータ３ｂ；電極板巻取りロールを取り付けた電極板巻取り部５；電極板巻取りロールを駆動するモータ３ｃ；搬送路上を移動する電極板中間品６を支持するガイドローラ７；外部から運転の開始、停止又は運転条件等の指示信号を入力する入力手段８；電極板中間品６の塗工部９と非塗工部１０を判別するセンサー１１；停止位置を調節する制御手段１２。
【００１５】
この製造装置１において電極板中間品は、電極板供給ロールから繰り出され、搬送路を移動して一対のプレスロール２ａ，２ｂ間を通過し、その際に圧延され、さらに下流側へ移動して電極板巻取りロールに巻き取られる。
【００１６】
（電極板中間品）
本発明における電極板中間品は、電極活物質層が集電体の少なくとも一面に設けられている、製造工程途中の中間製品であり、代表的には細長い連続シート状の電極板中間品である。
【００１７】
本発明により加工される正極用及び負極用の電極板中間品は、以下のようにして作成される。
【００１８】
電極板には非水電解液二次電池用、燃料電池用、二重層キャパシタ用等、様々な形態があるが、一般に、正極板中間品は、少なくとも正極活物質及び結着材を含有する正極用活物質層塗工組成物を集電体の一面側又は両面に塗布して、正極活物質層を形成することによって作製される。一方、負極板中間品は、少なくとも負極活物質及び結着材を含有する負極用活物質層塗工組成物を集電体の一面側又は両面に塗布して、負極活物質層を形成することによって作製される。
【００１９】
正極活物質としては、従来から非水電解液二次電池用、燃料電池用、二重層キャパシタ等の正極活物質として用いられている材料を用いることができる。例えば、非水電解液二次電池用電極板であれば、ＬｉＭｎ2Ｏ4（マンガン酸リチウム）、ＬｉＣｏＯ2（コバルト酸リチウム）若しくはＬｉＮｉＯ2（ニッケル酸リチウム）等のリチウム酸化物、又はＴｉＳ2、ＭｎＯ2、ＭｏＯ3もしくはＶ2Ｏ5等のカルコゲン化合物を例示することができる。特に、ＬｉＣｏＯ２を正極用活物質として用い、炭素質材料を負極用活物質として用いることにより、４ボルト程度の高い放電電圧を有するリチウム系２次電池が得られる。
【００２０】
正極活物質は、塗工層中に均一に分散させるために、例えば、非水電解液二次電池用電極板であれば、１〜１００μｍの範囲の粒径を有し、且つ平均粒径が約10μｍの粉体であることが好ましい。これらの正極用活物質は単独で用いてもよいし、２種以上を組み合わせて用いてもよい。
【００２１】
一方、負極活物質としては、従来から非水電解液二次電池用、燃料電池用、二重層キャパシタ等の負極活物質として用いられている材料を用いることができる。例えば、非水電解液二次電池用電極板であれば、天然グラファイト、人造グラファイト、アモルファス炭素、カーボンブラック、又は、これらの成分に異種元素を添加したもののような炭素質材料が好んで用いられる。溶媒が有機系の場合には金属リチウム又はリチウム合金のようなリチウム含有金属が好適に用いられる。
【００２２】
負極活物質の粒子形状は特に限定されないが、例えば、鱗片状、塊状、繊維状、球状のものが使用可能である。負極活物質は、塗工層中に均一に分散させるために、例えば、非水電解液二次電池用電極板であれば、１〜１００μｍの範囲の粒径を有し、且つ平均粒径が約10μｍの粉体であることが好ましい。これらの負極用活物質は単独で用いてもよいし、２種以上を組み合わせて用いてもよい。
【００２３】
電極活物質層用塗工組成物中の正極又は負極活物質の配合割合は、例えば、非水電解液二次電池用電極板であれば、溶剤を除く配合成分を基準（固形分基準）とした時に通常、９０〜９８．５重量％とするが、特に高容量化を図る点からは、９５．２〜９６．６重量％であることが好ましい。
【００２４】
結着材としては、従来から用いられているもの、例えば、非水電解液二次電池用電極板であれば、熱可塑性樹脂、より具体的にはポリエステル樹脂、ポリアミド樹脂、ポリアクリル酸エステル樹脂、ポリカーボネート樹脂、ポリウレタン樹脂、セルロース樹脂、ポリオレフィン樹脂、ポリビニル樹脂、フッ素系樹脂又はポリイミド樹脂等を使用することができる。この際、反応性官能基を導入したアクリレートモノマー又はオリゴマーを結着材中に混入させることも可能である。そのほかにも、ゴム系の樹脂や、アクリル樹脂、ウレタン樹脂等の熱硬化性樹脂、アクリレートモノマー、アクリレートオリゴマー或いはそれらの混合物からなる電離放射線硬化性樹脂、上記各種の樹脂の混合物を使用することもできる。
【００２５】
電極活物質層用塗工組成物中の結着材の配合割合は、例えば、非水電解液二次電池用電極板であれば、固形分基準で通常、０．５〜１０重量％、好ましくは２〜４重量％とするが、高容量化を図る点からは、１．６〜２．０重量％が好ましい。
【００２６】
正極又は負極用活物質層塗工組成物には、導電剤を添加しても良い。導電剤としては、例えば、非水電解液二次電池用電極板であれば、グラファイト、カーボンブラック又はアセチレンブラック等の炭素質材料が必要に応じて用いられる。塗工組成物中の導電剤の配合割合は、例えば、非水電解液二次電池用電極板であれば、通常、固形分基準で、１．５〜２．０重量％とする。
【００２７】
正極又は負極用活物質層塗工組成物を調製する溶剤としては、例えば、非水電解液二次電池用電極板であれば、トルエン、メチルエチルケトン、Ｎ−メチル−２−ピロリドン或いはこれらの混合物のような有機溶剤を用いることができる。塗工組成物中の溶剤の割合は、例えば、非水電解液二次電池用電極板であれば、通常、３０〜６０重量％、好ましくは４５〜５５重量％とし、塗工液をスラリー状に調製する。
【００２８】
正極又は負極活物質層用塗工組成物は、適宜選択した正極又は負極活物質、結着材、及び他の配合成分を適切な溶剤中にいれ、ホモジナイザー、ボールミル、サンドミル、ロールミル又はプラネタリーミキサー等の分散機により混合分散して、スラリー状に調製できる。
【００２９】
このようにして調製された正極又は負極活物質層用塗工組成物を、基体である集電体の一面又は両面に塗布、乾燥して正極又は負極活物質層を形成する。正極板の集電体としては、例えば、非水電解液二次電池用電極板であれば、通常、アルミニウム箔が好ましく用いられる。一方、負極板の集電体としては、例えば、非水電解液二次電池用電極板であれば、電解銅箔や圧延銅箔等の銅箔が好ましく用いられる。集電体の厚さは、例えば、非水電解液二次電池用電極板であれば、通常、５〜５０μｍ程度とする。
【００３０】
正極又は負極活物質層用塗工組成物の塗布方法は、特に限定されないが、例えばスライドダイコート、コンマダイレクトコート、コンマリバースコート等のように、厚い塗工層を形成できる方法が適している。ただし、活物質層に求められる厚さが比較的薄い場合には、グラビアコートやグラビアリバースコート等により塗布してもよい。活物質層は、複数回塗布、乾燥を繰り返すことにより形成してもよい。
【００３１】
集電体上に、電極活物質層を設けた塗工部と、端子取り付け等の目的に利用される非塗工部を間欠的なパターン状に形成するには、例えば、ダイヘッドを機械的に制御しながら電極活物質層用塗工組成物を集電体上に塗工して塗工部と非塗工部のパターンを直接形成する。具体的には、塗工部又は非塗工部のパターンに合わせてダイヘッド及び／又は集電体を動かしながらダイヘッドからの電極活物質層用塗工組成物の吐出開始と吐出停止を繰り返したり、ダイヘッドの離脱と再接近を、電極活物質層用塗工組成物の吐出停止とその再開にそれぞれ同調させて繰り返せばよい。
【００３２】
乾燥工程における熱源としては、熱風、赤外線、マイクロ波、高周波、或いはそれらを組み合わせて利用できる。乾燥工程において集電体をサポート又はプレスする金属ローラーや金属シートを加熱して放出させた熱によって乾燥してもよい。また、乾燥後、電子線又は放射線を照射することにより、結着材を架橋反応させて活物質層を得ることもできる。塗布と乾燥は、複数回繰り返してもよい。
【００３３】
このようにして得られる電極活物質層は、少なくとも正極又は負極活物質及び結着材を含有し、さらに必要に応じて導電剤やその他の成分を含有してなるものであり、乾燥後の活物質層に含有される各成分の配合割合は、電極活物質層用塗工組成物の固形分基準での配合割合と同じである。正極又は負極活物質層の塗工量は通常、２０〜３５０ｇ／ｍ２とし、その厚さは、乾燥、プレス後に通常１０〜２００μｍ、好ましくは５０〜１７０μｍの範囲にする。
【００３４】
（プレスロール）
図１の例では、一対のプレスロール２と、該プレスロールを駆動するモータ３ａと、必要に応じてその他の部材からプレス手段が構成される。電極板中間品６は、少なくとも一対のプレスロール２ａ，２ｂ間を通過する際に圧延され、これにより、電極活物質層の密度、集電体に対する密着性、均質性を向上させることができる。
【００３５】
本発明におけるプレスロールとしては、金属製のもの同士又は硬質プラスチック製のもの同士を対にして、あるいは金属製のロールと硬質プラスチック製のロールとを組み合わせて使用することができる。プレスロールの直径は、導電性基材の材質、厚さなどにより適宜決定される。プレスロールの配置段数は図に示したような１段でも良いが、複数対のロールを多段に配置しても良い。また、多段ロールでは、通常ロールニップを直列に配置する方法が採られるが、複数対のロールを１列に配置し、これらのロール間を千鳥状に通す方法も採ることができる。さらに、このような多段ロールにおいては、各ロールの直径は同じでも良いし異なっていても良い。
【００３６】
プレスを行う際には定位プレス、定圧プレスいずれを行っても良い。加圧の際の圧力は、線圧で１００〜７００ｋｇ／ｃｍとすることが好ましく、特に好ましい圧力は、２００〜５５０ｋｇ／ｃｍである。プレス圧力が小さすぎると電極活物質層の均質性が得られにくく、プレス圧力が大きすぎると電極板の機械的損傷が生じやすい。従って、電極活物質層を圧延する一対のプレスロールの間隙は、集電体厚さ以上、且つ、集電体厚さと電極活物質層厚さとの和よりも小さい距離に調節することが好ましい。つまり、集電体厚さより小さい間隙にすると集電体を含めて電極板自体が破損してしまう恐れがあり好ましくなく、また集電体厚さと電極活物質層厚さとの和よりも大きな間隙にするとプレスにむらが生じるか、あるいはプレス不充分となるので好ましくない。電極活物質層は、一回のプレスで所定の厚さにしてもよく、均質性を向上させる目的で数回に分けてプレスしてもよい。また、ロールの温度は、特に限定されるものではなく、室温から２００℃までの温度に加温して使用される。
【００３７】
また、本発明においては、ロール圧延の作業が不測の事態又は所定の理由によって中断される時でも、ウエブの薄い部分がプレスロール直下の位置でプレスロールの回転が停止（ウエブ搬送が停止）しないよう、センサー、制御手段等によって回避するため、本発明の電極板中間品は、図３に示すように、プレスを充分に行うための第１ロール１６ａへの付勢力Ｆとウエブ１７からの反力ｓ及び矯正のための付勢力ｆとのバランスがとれている状態になる。従って、第１ロール１６ａは歪まず、搬送を再開する時にウエブ１７の一点に荷重が集中することもなく、プレス工程を支障なく行うことができる。
【００３８】
（搬送手段）
搬送手段は、電極板中間品を一対のプレスロール間に供給するための手段である。図１の例では、電極板供給ロールを取り付けた電極板供給部４と、該電極板供給部を駆動するモータ３ｂと、電極板巻取りロールを取り付けた電極板巻取り部５と、該電極板巻取り部５を駆動するモータ３ｃと、搬送路上を移動する電極板中間品６を支持するガイドローラ７と、必要に応じてその他の部材から搬送手段が構成される。搬送速度は通常、５〜５０ｍ／ｍｉｎ．とする。
【００３９】
（入力手段）
入力手段は、ロールプレス機１を運転するために必要な開始、停止又は運転条件等の指示を入力して信号化（指示信号の作成）し、指示信号を制御手段に伝達する手段である。入力手段は、例えば、指示を入力するためのインターフェイス部と、入力した情報を信号化する変換部と、生成した指示信号を制御手段に送る送信部から構成され、さらに必要に応じて、自動運転のために信号を蓄積し、蓄積された信号の一部を適切な時刻に発信するプログラム記録部等の他の部材を含んでいても良い。
【００４０】
（センサー）
本発明において用いられるセンサーは、搬送路上を移動する電極板中間品上の塗工部と非塗工部の形成位置を判別し、判別結果を制御手段に伝達する。
【００４１】
本発明に用いるセンサーは、超音波やレーザー等を使った一般的な手法を用いることができる。
【００４２】
図１に示すように、センサー１１を設置する位置としては、通常、プレスロールよりも搬送路の上流側とする。但し、電極活物質層組成物が集電体上に規則的に間欠塗布されている場合、上流側の非塗工部の位置を特定することにより、下流側の非塗工部の位置も特定できるため、プレスロールよりも下流側の搬送路上にセンサーを設置してもよい。
【００４３】
また、本発明においては、搬送路上を移動する電極板中間品の少なくとも一面側の塗工部と非塗工部の形成位置をセンサーで判別し、必要に応じて両面ともセンサーにより判別するが、集電体の一面側に間欠塗布された電極活物質層と他面側に間欠塗布された電極活物質層の位置関係に規則性がある場合には、片面側だけセンサーで判別し、他面側の塗工部と非塗工部の形成位置は、反対面側のセンサー判別結果に基づいて特定し、電極板中間体の両面とも塗工部である位置がプレスロール直下に止まるように制御してもよい。
【００４４】
（制御手段）
制御手段は、センサーによる判別結果に基づいて電極板中間品の少なくとも一面側の非塗工部がプレスロール直下で停止しないように停止位置を調節するための手段である。制御手段は、停止時の制御だけでなく、停止時以外の運転過程を制御できるものであっても良い。制御手段は、例えば、制御プログラムを蓄積するプログラム部、入力手段からの指示信号や各種センサーからのフィードバック情報を制御プログラムに照合して運転条件の適否判定又は最適条件の決定を行う演算部、制御信号を各駆動手段に送る発信部、及び、必要に応じてその他の部材から構成される。
【００４５】
図１の例では、制御手段は前記入力手段８、電極板中間品６のセンサー１１、図示されていないその他のセンサー、及び、３つのモータ３ａ、ｂ及びｃに接続され、入力手段から受信する指示信号、制御手段内に予め記録された制御プログラム、各種センサーからのフィードバック情報を総合的に判断して、電極板供給ロール（電極板供給部４）と電極板巻取りロール（電極板巻取り部５）と一対のプレスロール２の駆動を協調させ、運転の開始から停止まで全過程の制御を行う。
【００４６】
本発明において、電極板中間品の搬送を停止するときの停止位置の調節は、例えば、次にように行うことができる。
【００４７】
先ず、ロール圧延の作業が不測の事態又は所定の理由により中断されるときには、停止の指示信号が生成され、これを制御手段が検知する。停止の指示信号は、入力手段８への個別入力又は入力手段８内の指示プログラムからの自動発信により、入力手段８から制御手段１２に送られるものであってもよいし、又は、制御手段１２内の制御プログラムによって所定時刻に又は運転状況に関し制御手段１２にフィードバックされた情報に基づいて適時に、制御手段１２内に生成されるものであってもよい。
【００４８】
次に、停止の指示信号を検知した制御手段１２は、電極板中間品６の少なくとも一面側の塗工部９と非塗工部１０の位置を判別するセンサー１１の出力信号に基づき、停止指示から実際に停止するまでの設定された時間、センサー１１からプレスロール２までの距離、搬送速度等を考慮して、停止位置を予想し、少なくとも一面側の非塗工部１０のプレスロール直下の停止を回避すべく、停止位置は予想通り無変更でよいか、又は、停止位置の短縮又は延長といった変更が必要かを判定し、電極板中間品６の停止位置を調節する。
【００４９】
図２に本発明のオペレーションダイヤグラムを示す。例えば、停止指示から原則として３秒後に止まる設定とした場合、停止の指示信号が制御手段１２に伝達されると、センサー１１が搬送路上のプレスロール２と一定の位置関係にある地点にて塗工部９と非塗工部１０を判別する。その判別結果が制御手段１２に速やかに伝達され、制御手段１２はセンサー１１からプレスロール２までの距離、搬送速度等から３秒後の停止位置を予想し、少なくとも一面側の非塗工部１０がプレスロール２の直下に停止しないように電極板中間品６の停止位置の回避の判定を行う。この判定の結果、プレスロール直下には塗工部９が停止すると予想される場合には、変更不要であり、そのまま予定通り３秒後に停止する。しかし、電極板中間品６の両面とも非塗工部１０の位置がプレスロールの直下に停止すると予想された場合は、搬送速度又は停止までの所用時間等を調節し、停止位置までの距離の短縮又は延長といった変更を行い、必要に応じて、一旦変更した後の停止位置をさらに予想して、変更を１回又はそれ以上繰り返し、最終的に両面とも非塗工部の位置がプレスロール直下に停止することを回避する。
【００５０】
本発明によれば、集電体の少なくともどちらか一方の面が塗工部である位置をプレスロール直下に停止させればロール歪みの影響を軽減できる。停止位置の調節は、ロール歪みの影響をどの程度まで防止すべきかによって、より厳しい条件設定をしても良く、例えば、集電体の特定の一面側が塗工部である位置（さらなる条件として、他面側が必ず非塗工部であるという条件設定、或いは、他面側が塗工部、非塗工部いずれであってもよいという条件設定も可能である）がプレスロール直下に停止するようにしても良い。さらに、集電体の両面とも塗工部である位置がプレスロール直下に停止するようにすることが最も好ましい。
【００５１】
上記のような、電極板の製造方法及び製造装置を用いることで、搬送停止以前に、塗工部と非塗工部の位置を判別し、その判別結果を制御手段に伝達し、電極板中間品とプレスロールとが一点で接触した状態で停止しないよう制御手段で搬送中の電極板中間品の停止位置を調節することができる。したがって、搬送を再開する時にウエブ上の一点に荷重が集中せず、ウエブの破断を防止することができ、製造コストが低減されるとともに、製造効率を向上させることができる。
【図面の簡単な説明】
【００５２】
【図１】本発明における、電極板製造装置の一例を示す説明図である。
【図２】本発明における、オペレーションダイヤグラムを示す図である。
【図３】従来技術における、プレスロールを示す説明図である。
【図４】従来技術における、プレスロールを示す説明図である。
【符号の説明】
【００５３】
１  ロールプレス機
２（２ａ，２ｂ）  プレスロール
３ａ  モータ
３ｂ  モータ
３ｃ  モータ
４  電極板供給部
５  電極板巻取り部
６  電極板中間品
７  ガイドローラ
８  入力手段
９  塗工部
１０  非塗工部
１１  センサー
１２  制御手段
１３  電極活物質層
１４  集電体
１５  搬送方向
１６ａ  第１ロール
１６ｂ  第２ロール
１７  ウエブ
Ｆ  付勢力
ｆ  付勢力
ｓ  反力
Ｐ  接点
【図１】
2006107787.tif 000003
【図２】
2006107787.tif 000004
【図３】
2006107787.tif 000005
【図４】
2006107787.tif 000006